(57)【要約】【課題】沈子端処理装置に関わる装置は未だ実用化にまで至っていないため、漁網が当該処理装置に絡まる、また沈子が漁網の中に巻き込まれた状況が発生し、沈子端の仕分けができなくなるなどの問題が生じ、作業の中断と修復が頻発していた。このような事情に基づいて沈子端を確実に手繰り寄せながら、網収納作業を迅速かつ確実に行うことができる漁網の沈子端処理装置を提供することにある。【解決手段】網船の網台の左舷又は右舷に設置したレールに沿って走行自在な走行台に傾斜可能な支持台を取り付け、同支持台には府仰および水平旋回可能な適切な長さのスイングアームを取り付け、スイングアームの先端に左右一対の回転自在の手繰りディスクを設けた構成の沈子端処理装置して、手繰りディスクはスイングアームの先端において傾斜、旋回、昇降(上下動作)が可能となるので、沈子端処理に適した位置と方向に配設を可能にした沈子端処理装置【選択図】                  図1
2007185160.tif 000002
【特許請求の範囲】
【請求項１】
網船の網台の左舷又は右舷に設置したレールに沿って走行自在な走行台に傾斜可能な支持台を取り付け、同支持台には府仰および水平旋回可能な適切な長さのスイングアームを取り付け、スイングアームの先端に左右一対の回転自在の手繰りディスクを設けた沈子端処理装置。
【請求項２】
手繰りディスクがスイングアームの先端において傾斜、旋回、昇降(上下動作)を可能にし、沈子端処理に適した位置と方向に配設を可能にした請求項1記載の沈子端処理装置。
【請求項３】
左右のディスクは鍋蓋状にして、それぞれに設けられたローラの軸先端は凹状の逃げが設けてあり、漁網の通過を容易にした手繰りディスクを備えた請求項1または2記載の沈子端処理装置
【発明の詳細な説明】
【技術分野】
【０００１】
本発明は旋網漁船(以下網船という)等において巻き揚げる漁網の沈子端の手繰り仕分け処理装置に関する。
【背景技術】
【０００２】
旋網漁では投網された漁網は網船のネットホーラ、網捌機などによって網台に巻き揚げられるが、包囲し捕獲中の魚が逃逸しないように注意深く作業を進め、併せて次回の投網に備えて当該漁網を繰り広げ、海底に沈める錘側(以下沈子端と呼ぶ)と海面上に浮かせる浮側(以下浮子端と呼ぶ)を網船の左右のサイド仕分けて規則正しく折りたたみながら積み重ねる網収納作業を行っている。
【非特許文献１】日本漁具・漁法図説、成山堂書店、平成17年6月8日p.185
【０００３】
この網収納作業は次回投網までの限られた時間内に完了しなければならないので迅速に作業をしなければならず、作業者にとっては高い集中力を求められ疲労度の高い作業であった。
【０００４】
近年は各種の漁網処理装置、浮子端処理装置や沈子端処理装置の開発に伴って、手作業は軽減されてきているが、なお、作業者の半数は網収納作業に配置されている。
【特許文献１】特開平7-163271、特開平6-276893
【０００５】
とりわけ沈子端処理装置に関わる装置は未だ実用化にまで至っていないため、漁網が当該処理装置に絡まる、また沈子が漁網の中に巻き込まれた状況が発生し、沈子端の仕分けができなくなるなどの問題が生じ、作業の中断と修復が頻発していた。
【０００６】
これらの主たる原因は捕獲魚量あるいは、潮流や風向などの影響で引揚げられる魚網が様々な形態をなし非整然としていることに加え、操業環境が正確に把握できない状況下で処理装置の全自動処理化や集中操作を過度に指向していることにもよる。
【発明の開示】
【発明が解決しようとする課題】
【０００７】
本発明は、このような事情に基づいてなされたもので、前述の沈子端を確実に手繰り寄せながら、網収納作業を迅速かつ確実に行うことができる漁網の沈子端処理装置を提供することにある。
【課題を解決するための手段】
【０００８】
網船の網台の左舷又は右舷に設置したレールに沿って走行自在な走行台に傾斜可能な支持台を取り付け、同支持台には府仰および水平旋回可能な適切な長さのスイングアームを取り付け、スイングアームの先端に左右一対の回転自在の手繰りディスクを設けた沈子端処理装置。
【０００９】
上述の沈子端処理装置においては、手繰りディスクはスイングアームの先端において傾斜、旋回、昇降(上下動作)が可能となるので、沈子端処理に適した位置と方向に配設を可能にした沈子端処理装置。
【発明の効果】
【００１０】
従来の沈子処理装置は漁網が当該処理装置に絡まる、また沈子が漁網の中に巻き込まるなどの状況が発生し、しばしば修復作業を要したが、本発明により手繰りディスクは沈子端の手繰りと網部の仕分けに適した位置、方向、回転を
配設できるので円滑な網捌きが可能である。
【実施例】
【００１１】
以下、本発明の実施例について図面を用いて説明する。
図1は本発明の沈子手繰り装置一部切欠きの全体図である。
【００１２】
図2は本発明の実施例に係る沈子手繰り装置の一部切欠きの側面図である。
【００１３】
図3は本発明の実施例に係る沈子手繰り装置の一部切欠きの背面図である。
【００１４】
図4は本発明の実施例に係る沈子手繰り装置の一部切欠きの平面図である。
【００１５】
本発明の沈子手繰り装置は網船の網台の船舷に敷設したレール1に走行台2を設置し、走行台2には支持台3が傾斜回転軸22で結合されている。
【００１６】
レール1は網台の前後方向にほぼ全長にわたる長さを有し、走行台2は網台の全域を往来できる。
【００１７】
図6に示すように沈子端を手繰り易くするため、支持台3は傾斜回転軸22を中心にして、シリンダー21の作用によって手繰りローラ軸46a、46bを適切な方向に傾斜させる。
【００１８】
図3に示すように支持台3には旋回筒35を介してスイングアーム5と府仰シリンダー32が網台に向きに取り付けられており、府仰軸34を回転軸にして府仰し、手繰りディスク4を上下の位置に調整可能な構造となっている。
【００１９】
図7はスイングアーム5が上下する状況を示したもので、漁網を積み重ねる高さに伴い沈子端の手繰り位置を符合させる機能を持つ。
【００２０】
図4に示すように、支持台3には前後旋回軸33を軸として、スイングアーム5は前後に旋回可能な構造となっており、沈子端を手繰り込む方向に手繰りディスク4の軸を調整できる。
【００２１】
図8はスイングアーム5が網台の前後方向に水平に旋回した状況を示したもので、沈子端を手繰り込む方位に配設できる。
【００２２】
図5に示すように、左右の手繰りディスク4aと4bは左右相対するように設けられており、かつ左右の回転モータ41aと41bは互いに独立した回転が可能である。
【００２３】
同モータ41aと41bの軸に取り付けられたディスク43aと43bならびにローラ45aと45bはそれぞれのモータの回転に従う構造となっている。
【００２４】
左支持軸44bはスイングアーム5の先端部に固定されて取り付けられる。
右支持軸44aはスイングアーム5の他方の先端部にディスク開閉レバー52を介して取り付けられた構造となっている。
【００２５】
図9に示すように、ディスク開閉レバー52は開閉レバースイング軸53を軸にしてディスク開閉シリンダー51の作用でスイングするので、右手繰りディスク4aは開閉する。
【００２６】
ディスク開閉シリンダー51の作用で右手繰りディスク4aを開き、沈子端を通した後に当該右手繰りディスク4aを閉めることによって沈子端はローラ45a、45bから外れ落ちることはなく、かつ手繰りディスク4a、4bの回転では手繰り寄せられる。
【００２７】
図10に示すように、右ディスク43aは鍋蓋状をしており、同心線上にリング状の右ローラ45aを取り付けた構造となっている。
【００２８】
左ローラ45bは部分楕円球状をなしており、表面には螺旋状に溝が設けられ回転に伴って、沈子端をディスク側に引く作用をするとともに手繰り作用を高める。
【００２９】
また、左ローラ45bの回転軸先端は凹状の逃げ(窪み)が設けてあり、漁網の通過を容易にしている。
【００３０】
左右の網ガイド42aと42bはスイングアーム5に固着して支えられた枠体をなし、沈子端の導入を容易にする。
【００３１】
適切な長さのスイングアームの府仰によって、網台にうず高く積み重ねる魚網処理に対応できる。
【００３２】
手繰りディスクの方向(方位)と傾斜動作の採用によって、沈子端の手繰りの向きが適切となり、沈子端の導入を容易にし、手繰り回転力が効率化できる。さらに左右のディスク間隔は250 mm以下に設定でき装置の小型化が可能である。
【００３３】
本発明により、網捌き作業の中でも最も疲労どの高い沈子端(錘側)の処理が機械化できるので、網処理の作業性が格段に向上する。
【００３４】
なお、左右の手繰りディスクは漁網の通過に必要な適切な間隔を有し、下開きに調節できることは当然である。
【図面の簡単な説明】
【００３５】
【図１】本発明の実施例に係る装置の概略の構成を示す３面図である。
【図２】本発明の実施例に係る装置の側面図である。
【図３】本発明の実施例に係る装置の背面図である。
【図４】本発明の実施例に係る装置の平面図である。
【図５】本発明の実施例に係る手繰りディスクの構成を示す図面である。
【図６】本発明の実施例に係る支持台の傾斜動作を示す図面である。
【図７】本発明の実施例に係るスイングアームの府仰動作を示す図面である。
【図８】本発明の実施例に係るスイングアームの旋回動作を示す図面である。
【図９】本発明の実施例に係る手繰りディスクの開閉動作を示す図面である。
【図１０】本発明の実施例に係るディスク及びローラの詳細を説明する図面である。
【符号の説明】
【００３６】
１    走行レール
２    走行台
２１  傾斜駆動シリンダー
２２  傾斜回転軸
３    支持台
３１  前後旋回シリンダー
３２  上下府仰シリンダー
３３  前後旋回軸
３４  上下府仰回転軸
３５  旋回筒
４    手繰りディスク
４ａ  右手繰りディスク
４１ａ右ディスク回転モータ
４２ａ右網ガイド
４３ａ右ディスク
４４ａ右支持軸
４５ａ右ローラ
４６ａ右ローラ軸
４ｂ  左手繰りディスク
４１ｂ左ディスク回転モータ  
４２ｂ左網ガイド
４３ｂ左ディスク
４４ｂ左支持軸
４５ｂ左ローラ
４６ｂ左ローラ軸
５  スイングアーム
５１  ディスク開閉シリンダー
５２  ディスク開閉アーム
５３  開閉アーム回転軸
【図１】
2007185160.tif 000003
【図２】
2007185160.tif 000004
【図３】
2007185160.tif 000005
【図４】
2007185160.tif 000006
【図５】
2007185160.tif 000007
【図６】
2007185160.tif 000008
【図７】
2007185160.tif 000009
【図８】
2007185160.tif 000010
【図９】
2007185160.tif 000011
【図１０】
2007185160.tif 000012